(57)【要約】  本記載の枕は左右方向に並んで位置されて互いの間隔が可変されるように結合された第１単位本体及び第２単位本体と、前記第１単位本体に前後方向に相対移動されるように結合された第３単位本体と、前記第２単位本体に前後方向に相対移動されるように結合され、前記第３単位本体に左右方向に並んで位置されて互いの間隔が可変されるように結合された第４単位本体と、前記第３単位本体及び第４単位本体が前記第１単位本体及び第２単位本体に対して前後方向に互いに遠くなるか近くなるようにする第１間隔調節ユニットと、前記第１単位本体及び第３単位本体が前記第２単位本体及び第４単位本体に対して左右方向に互いに遠くなるか近くなるようにする第２間隔調節ユニットとを含む。
2020505103.tif 000002
【特許請求の範囲】
【請求項１】
左右方向に並んで位置されて互いの間隔が可変されるように結合された第１単位本体及び第２単位本体と、
前記第１単位本体に前後方向に相対移動されるように結合された第３単位本体と、
前記第２単位本体に前後方向に相対移動されるように結合され、前記第３単位本体に左右方向に並んで位置されて互いの間隔が可変されるように結合された第４単位本体と、
前記第３単位本体及び第４単位本体が前記第１単位本体及び第２単位本体に対して前後方向に互いに遠くなるか近くなるようにする第１間隔調節ユニットと、
前記第１単位本体及び第３単位本体が前記第２単位本体及び第４単位本体に対して左右方向に互いに遠くなるか近くなるようにする第２間隔調節ユニットと、を含む枕。
【請求項２】
前記第１間隔調節ユニットは、
前記第１単位本体の内部に左右方向に配置された第１回転軸と、
使用者が外部で操作可能に外部に露出されるように位置され、前記第１回転軸に結合された第１操作部材と、
前記第１単位本体と第３単位本体を前後方向に横切るように位置され、前記第３単位本体にはスクリュー結合され、前記第１回転軸の回転と連動して回転することによって前記第３単位本体が第１単位本体に対して遠くなるか近くなるようにする第２回転軸と、
前記第２単位本体と第４単位本体を前後方向に横切るように位置された第３回転軸と、を含む請求項１に記載の枕。
【請求項３】
前記第２間隔調節ユニットは、
前記第１単位本体と第２単位本体を左右方向に横切るように位置され、前記第１単位本体にはスクリュー結合された第４回転軸と、
使用者が外部で操作可能に外部に露出されるように位置され、前記第４回転軸に結合された第２操作部材と、
前記第３単位本体と第４単位本体を左右方向に横切るように位置された第５回転軸と、を含む請求項１に記載の枕。
【請求項４】
前記第１単位本体、第２単位本体、前記第３単位本体及び第４単位本体がそれぞれ地面に対して遠くなるか近くなることができるようにする高さ調節ユニットを含む請求項１に記載の枕。
【請求項５】
前記高さ調節ユニットは、
前記第１単位本体と第２単位本体とを互いに連結し、長さが可変される第６回転軸と、
前記第３単位本体と第４単位本体とを互いに連結し、長さが可変される第７回転軸と、
使用者が外部で操作可能に外部に露出されるように位置され、前記第６回転軸及び第７回転軸のそれぞれに結合された第３操作部材と、
前記第１単位本体、第２単位本体、第３単位本体及び第４単位本体のそれぞれの内部に配置され、前記第６回転軸及び第７回転軸のそれぞれに結合されたピニオンギアと、
前記第１単位本体、第２単位本体、第３単位本体及び第４単位本体のそれぞれに上下方向に移動可能に位置されて前記ピニオンギアと噛み合うように配置されたラックギアと、
前記ラックギアの下端に形成された支持部材と、を含む請求項１に記載の枕。
【請求項６】
前記第３単位本体及び第４単位本体で使用者の首と接触する部分に形成された第１指圧突起と、
前記第１単位本体及び第２単位本体で使用者の首と接触する部分に形成された第２指圧突起と、
前記第１指圧突起よりも相対的に小さい高さで形成され、前記第３単位本体及び第４単位本体で使用者の首と接触する部分に上下方向に直線往復移動されるように結合された第３指圧突起と、を含む請求項１に記載の枕。
【請求項７】
前記第３指圧突起が移動するように動力を発生する動力発生部と、
前記動力発生部に電気的に連結されて前記動力発生部に電源を供給する電源部と、
前記動力発生部に電気的に連結されて前記動力発生部の動作を制御する制御部と、
前記第１単位本体、第２単位本体、前記第３単位本体及び第４単位本体の中の少なくとも何れか一つの外面に形成され、前記制御部に電気的に連結されて前記制御部で前記動力発生部を制御することができる動作信号を発生する操作ボタンと、を含む請求項６に記載の枕。
【請求項８】
前記第１単位本体、第２単位本体、第３単位本体及び第４単位本体の中の少なくとも何れか一つの内部に設置されて熱を発生する発熱コイルをさらに含む請求項１に記載の枕。
【請求項９】
前記第１単位本体、第２単位本体、前記第３単位本体及び第４単位本体の中の少なくとも何れか一つの内部に設置されて振動を発生する振動発生ユニットをさらに含む請求項１に記載の枕。
【発明の詳細な説明】
【技術分野】
【０００１】
本発明は枕に関するもので、より詳しくは、使用者が便利に首を支えることができる枕に関するものである。
【背景技術】
【０００２】
一般に、枕は寝たり休む際に頭を支える寝具類で、従来の枕は枕本体の内部にクッションの役割を果たす中身を挿入する。
【０００３】
しかしながら、このような従来の枕は単純に頭を支える役割だけでなく他の機能はなく、多様な機能を要求する消費者の多様なニーズを充足させるには不足であった。これを解決するために、最近には人体の形状に合わせて製造された多目的枕が開示されたことがあるが、これは、利用する人の頭の形状と大きさが異なる場合、その作用及び効果が反感されるかまたはまともに実現されないという限界を抱えている。また、従来の枕には指圧のための突起が形成されているが、このような突起は所定の間隔を有するため、使用者の体形や頭の形状によって使用が不便であったり適切な指圧が難しくなる場合がある。
【０００４】
そして、従来の枕は底に平らに置かれるため、使用者が体に合わせて傾きを調節して便利に使いにくいことがある。
【発明の概要】
【発明が解決しようとする課題】
【０００５】
本発明は前述した諸問題を解決するために案出されたもので、本発明の一実施例は使用者の体形に合わせて変形されることができる枕を提供することを目的とする。
【課題を解決するための手段】
【０００６】
本発明の一側面による枕は、左右方向に並んで位置されて互いの間隔が可変されるように結合された第１単位本体及び第２単位本体と、前記第１単位本体に前後方向に相対移動されるように結合された第３単位本体と、前記第２単位本体に前後方向に相対移動されるように結合され、前記第３単位本体に左右方向に並んで位置されて互いの間隔が可変されるように結合された第４単位本体と、前記第３単位本体及び第４単位本体が前記第１単位本体及び第２単位本体に対して前後方向に互いに遠くなるか近くなるようにする第１間隔調節ユニットと、前記第１単位本体及び第３単位本体が前記第２単位本体及び第４単位本体に対して左右方向に互いに遠くなるか近くなるようにする第２間隔調節ユニットとを含む。
【０００７】
一方、前記第１間隔調節ユニットは、前記第１単位本体の内部に左右方向に配置された第１回転軸と、使用者が外部で操作可能に外部に露出されるように位置され、前記第１回転軸に結合された第１操作部材と、前記第１単位本体と第３単位本体を前後方向に横切るように位置され、前記第３単位本体にはスクリュー結合され、前記第１回転軸の回転と連動して回転することによって前記第３単位本体が第１単位本体に対して遠くなるか近くなるようにする第２回転軸と、前記第２単位本体と第４単位本体を前後方向に横切るように位置され、前記第４単位本体にはスクリュー結合された第３回転軸とを含むことができる。
【０００８】
一方、前記第２間隔調節ユニットは、前記第１単位本体と第２単位本体を左右方向に横切るように位置され、前記第１単位本体にはスクリュー結合された第４回転軸と、使用者が外部で操作可能に外部に露出されるように位置され、前記第４回転軸に結合された第２操作部材と、前記第３単位本体と第４単位本体を左右方向に横切るように位置されて、前記第３単位本体にはスクリュー結合された第５回転軸とを含むことができる。
【０００９】
一方、前記第１単位本体、第２単位本体、前記第３単位本体及び第４単位本体がそれぞれ地面に対して遠くなるか近くなることができるようにする高さ調節ユニットを含むことができる。
【００１０】
一方、前記高さ調節ユニットは、前記第１単位本体と第２単位本体とを互いに連結し、長さが可変される第６回転軸と、前記第３単位本体と第４単位本体とを互いに連結し、長さが可変される第７回転軸と、使用者が外部で操作可能に外部に露出されるように位置され、前記第６回転軸及び第７回転軸のそれぞれに結合された第３操作部材と、前記第１単位本体、第２単位本体、第３単位本体及び第４単位本体のそれぞれの内部に配置され、前記第６回転軸及び第７回転軸のそれぞれに結合されたピニオンギアと、前記第１単位本体、第２単位本体、第３単位本体及び第４単位本体のそれぞれに上下方向に移動可能に位置されて前記ピニオンギアと噛み合うように配置されたラックギアと、前記ラックギアの下端に形成された支持部材とを含むことができる。
【００１１】
一方、前記第３単位本体及び第４単位本体で使用者の首と接触する部分に形成された第１指圧突起と、前記第１単位本体及び第２単位本体で使用者の首と接触する部分に形成された第２指圧突起と、前記第１指圧突起よりも相対的に小さな高さからなり、前記第３単位本体及び第４単位本体で使用者の首と接触する部分に上下方向に直線往復移動されるように結合された第３指圧突起とを含むことができる。
【００１２】
一方、前記第３指圧突起が移動するように動力を発生する動力発生部と、前記動力発生部に電気的に連結されて前記動力発生部に電源を供給する電源部と、前記動力発生部に電気的に連結されて前記動力発生部の動作を制御する制御部と、前記第１単位本体、第２単位本体、前記第３単位本体及び第４単位本体の中の少なくとも何れか一つの外面に形成され、前記制御部に電気的に連結されて前記制御部で前記動力発生部を制御することができる動作信号を発生する操作ボタンとを含むことができる。
【００１３】
一方、前記第１単位本体、第２単位本体、第３単位本体及び第４単位本体の中の少なくとも何れか一つの内部に設置されて熱を発生する発熱コイルをさらに含むことができる。
【００１４】
一方、前記第１単位本体、第２単位本体、前記第３単位本体及び第４単位本体の中の少なくとも何れか一つの内部に設置されて振動を発生する振動発生ユニットをさらに含むことができる。
【発明の効果】
【００１５】
本発明の一実施例による枕は使用者の体の大きさに対応するように全体大きさが変形可能であるので、睡眠の際に睡眠者の後頭部側、即ち頭と首を最も理想的に支えて一般人が使用する際には健康な睡眠と安楽を与えることができる。追加的に、頚椎椎間板ヘルニア患者が使用時には治療に役立つことができる。
【００１６】
また、枕の高さを調節して楽な姿勢で熟眠を取ることができるようにしたのである。だけでなく、枕の傾斜度を調節して使用者がより楽な感じを受けることができるようにすることができる。
【図面の簡単な説明】
【００１７】
【図１】本発明の一実施例による枕を示した斜視図である。
【図２ａ】図１の枕の内部で第１間隔調節ユニットを抜粹して示した図である。
【図２ｂ】枕の大きさが第１間隔調節ユニットによって前後方向に増加された状態を示した図である。
【図３ａ】図１の枕の内部で第２間隔調節ユニットを抜粹して示した図である。
【図３ｂ】枕の大きさが第２間隔調節ユニットによって左右方向に増加された状態を示した図である。
【図４】図２ａの枕で高さ調節ユニットが形成されたIV−IV′ラインに沿う断面図である。
【図５】枕が地面に対して傾斜するように位置された状態を示した図である。
【図６】枕で第３指圧突起を駆動することができる細部構成を概略的に示した構成図である。
【発明を実施するための形態】
【００１８】
本発明は最善の形態として、左右方向に並んで位置されて互いの間隔が可変されるように結合された第１単位本体及び第２単位本体と、前記第１単位本体に前後方向に相対移動されるように結合された第３単位本体と、前記第２単位本体に前後方向に相対移動されるように結合され、前記第３単位本体に左右方向に並んで位置されて互いの間隔が可変されるように結合された第４単位本体と、前記第３単位本体及び第４単位本体が前記第１単位本体及び第２単位本体に対して前後方向に互いに遠くなるか近くなるようにする第１間隔調節ユニットと、前記第１単位本体及び第３単位本体が前記第２単位本体及び第４単位本体に対して左右方向に互いに遠くなるか近くなるようにする第２間隔調節ユニットと、を含む枕を開示する。
【００１９】
実施形態
以下、添付した図面を参照にして本発明の各種実施例に対して本発明が属する技術分野において通常の知識を有する者が容易に実施することができるように詳しく説明する。本発明は各種異なる形態で具現されることができ、ここで説明する各種実施例に限定されない。
【００２０】
本発明を明確に説明するために説明と関係ない部分は省略し、明細書全体を通じて同一または類似する構成要素について同じ参照符号を付ける。
【００２１】
また、各種実施例において、同じ構成を有する構成要素に対しては同じ符号を用いて代表的な実施例のみ説明し、その以外の他の実施例では代表的な実施例と異なる構成のみについて説明する。
【００２２】
明細書全体において、ある部分が他の部分と「連結」されているとする場合、これは「直接的に連結」されている場合だけでなく、他の部材を挟んで「間接的に連結」されることも含む。また、ある部分がある構成要素を「含む」とする時、これは特別に反対される記載がない限り他の構成要素を除くのではなく、他の構成要素をさらに含むことを意味することができる。
【００２３】
図１は本発明の一実施例による枕を示した斜視図である。
【００２４】
図１を参照すれば、本発明の一実施例による枕１００は第１単位本体１１０、第２単位本体１２０、第３単位本体１３０、第４単位本体１４０、第１間隔調節ユニット１５０及び第２間隔調節ユニット１６０を含む。
【００２５】
第１単位本体１１０及び第２単位本体１２０は互いに左右方向に並んで位置されて互いの間隔が可変されるように結合される。このような第１単位本体１１０及び第２単位本体１２０は互いに平面対称形状をなすことができるが、これに限定されない。
【００２６】
第３単位本体１３０は前記第１単位本体１１０に前後方向に相対移動されるように結合される。
【００２７】
第４単位本体１４０は前記第２単位本体１２０に前後方向に相対移動されるように結合される。第４単位本体１４０は前記第３単位本体１３０に左右方向に並んで位置されて互いの間隔が可変されるように結合される。このような第４単位本体１４０は第３単位本体１３０と互いに平面対称形状をなすことができるが、これに限定されない。
【００２８】
前述の第１単位本体１１０、第２単位本体１２０、第３単位本体１３０及び第４単位本体１４０の構造は一例として、内部に硬い素材の骨組みが配置され、柔軟な素材が骨組みを包むように構成されることができる。それによって、使用者が本発明の一実施例による枕１００に用いる状態でふわふわした感じを受けることができる。
【００２９】
一方、図示しなかったが、第１単位本体１１０、第２単位本体１２０、第３単位本体１３０及び第４単位本体１４０は別途のカバー部材（図示しない）によって包まれることができる。カバー部材は外部の異物から第１単位本体１１０、第２単位本体１２０、第３単位本体１３０及び第４単位本体１４０が汚染されることを防止することができる。このようなカバー部材の素材は一例として皮、人造皮、合成樹脂などからなることができるが、これに限定されない。
【００３０】
第１間隔調節ユニット１５０は前記第３単位本体１３０及び第４単位本体１４０が前記第１単位本体１１０及び第２単位本体１２０に対して前後方向に互いに遠くなるか近くなるようにする。
【００３１】
第２間隔調節ユニット１６０は前記第１単位本体１１０及び第３単位本体１３０が前記第２単位本体１２０及び第４単位本体１４０に対して左右方向に互いに遠くなるか近くなるようにする。このような第２間隔調節ユニット１６０と第１間隔調節ユニット１５０の詳細な構造の一例は後述する。
【００３２】
本発明の一実施例による枕１００は、前述の第１間隔調節ユニット１５０及び第２間隔調節ユニット１６０によって第１単位本体１１０、第２単位本体１２０、第３単位本体１３０及び第４単位本体１４０の前後間隔及び左右間隔が可変されることができる。即ち、本発明の一実施例による枕１００の全体大きさが可変されることで、睡眠の時、睡眠者の後頭部側、即ち頭と首を最も理想的に支えることによって、使用時に健康な睡眠と安楽を与えることができる。追加的に、頚椎椎間板ヘルニア患者が使用する場合に治療に役立つこともできる。
【００３３】
以下ではこのための本発明の一実施例による枕１００の構造の一例を詳細に説明する。
【００３４】
図２ａは図１の枕の内部で第１間隔調節ユニットを抜粹して示した図面で、図２ｂは枕の大きさが第１間隔調節ユニットによって前後方向に増加された状態を示した図である。
【００３５】
図２ａ及び図２ｂを参照すれば、前記第１間隔調節ユニット１５０は一例として、第１回転軸１５１、第１操作部材１５４、第２回転軸１５２及び第３回転軸１５３を含むことができる。
【００３６】
第１回転軸１５１は前記第１単位本体１１０の内部に左右方向に配置される。
【００３７】
第１操作部材１５４は使用者が外部で操作可能に外部に露出されるように位置され、前記第１回転軸１５１に結合される。第１操作部材１５４は一例として第１単位本体１１０に回転可能に結合されることができる。
【００３８】
ここで、第１操作部材１５４と前記第１回転軸１５１は別途のモーター（図示しない）によって互いに連結されることができる。即ち、使用者が第１操作部材１５４を操作（回転または押す）すれば、モーターが動作しながら前記第１回転軸１５１が回転されることができる。
【００３９】
第２回転軸１５２は前記第１単位本体１１０と第３単位本体１３０を前後方向に横切るように位置されることができる。第２回転軸１５２は第１回転軸１５１に対して直交するように位置されることができる。第２回転軸１５２は前記第３単位本体１３０にはスクリュー結合され、前記第１回転軸１５１の回転と連動して回転することによって前記第３単位本体１３０が第１単位本体１１０に対して遠くなるか近くなるようにする。
【００４０】
このための第２回転軸１５２と第１回転軸１５１は二つのベベルギアＢで連結されて第１回転軸１５１の回転力が第２回転軸１５２に伝達されることができる。これと違って、第２回転軸１５２と第１回転軸１５１はウォームとウォームギアで連結されることもできる。
【００４１】
第３回転軸１５３は前記第２単位本体１２０と第４単位本体１４０を前後方向に横切るように位置されることができる。第３回転軸１５３は第２単位本体１２０と第４単位本体１４０が互いに安定的に相対移動されるように案内することができる。このような第３回転軸１５３は長さが可変されるようになったスプラインであってもよい。
【００４２】
このような第１間隔調節ユニット１５０は第１単位本体１１０及び第２単位本体１２０に対して第３単位本体１３０及び第４単位本体１４０が前後方向に互いに相対移動されるようにすることができる。例えば、使用者が第１操作部材１５４を時計回り方向に回転させれば、第３単位本体１３０及び第４単位本体１４０が第１単位本体１１０及び第２単位本体１２０に対して遠くなることができる。これと反対に、使用者が第１操作部材１５４を反時計回り方向に回転させれば、第３単位本体１３０及び第４単位本体１４０は第１単位本体１１０及び第２単位本体１２０に近くなることができる。
【００４３】
図３ａは図１の枕の内部で第２間隔調節ユニットを抜粹して示した図面で、図３ｂは枕の大きさが第２間隔調節ユニットによって左右方向に増加された状態を示した図である。
【００４４】
図３ａ及び図３ｂを参照すれば、前述した第２間隔調節ユニット１６０は一例として、第４回転軸１６１、第２操作部材１６２及び第５回転軸１６３を含むことができる。
【００４５】
第４回転軸１６１は前記第１単位本体１１０と第２単位本体１２０を左右方向に横切るように位置されることができる。第４回転軸１６１は前記第１単位本体１１０にスクリュー結合されることができる。
【００４６】
第２操作部材１６２は使用者が外部で操作可能に外部に露出されるように位置され、前記第４回転軸１６１に結合されることができる。第２操作部材１６２は一例として第２単位本体１２０に回転可能に結合されることができる。第２操作部材１６２は第１操作部材１５４と類似する形状であってもよい。
【００４７】
ここで、第２操作部材１６２と前記第４回転軸１６１は別途のモーター（図示しない）によって互いに連結されることができる。即ち、使用者が第２操作部材１６２を操作（回転または押す）すれば、モーターが動作しながら前記第４回転軸１６１が回転されることができる。
【００４８】
使用者が第２操作部材１６２を一方向に回転させれば、第１単位本体１１０は第４回転軸１６１に沿って移動されることができる。ここで、第４回転軸１６１は第１単位本体１１０とスクリュー結合されているので、第４回転軸１６１の回転方向によって第１単位本体１１０は第２単位本体１２０に近くなるか遠くなることができる。ここで、第１単位本体１１０は第３単位本体１３０と第２回転軸１５２によって連結されているので、第１単位本体１１０は第３単位本体１３０とともに移動されることができる。
【００４９】
第５回転軸１６３は前記第３単位本体１３０と第４単位本体１４０を左右方向に横切るように位置されることができる。第５回転軸１６３は第３単位本体１３０と第４単位本体１４０が互いに安定的に相対移動されるように案内することができる。このような第５回転軸１６３は長さが可変されるようになったスプラインであってもよい。
【００５０】
一方、本発明の一実施例による枕１００は複数の弾性部材１９０をさらに含むことができる。
【００５１】
弾性部材１９０は前述した第２回転軸１５２、第３回転軸１５３、第４回転軸１６１及び第５回転軸１６３のそれぞれを囲むように位置されることができる。また、弾性部材１９０はそれぞれの単位本体の間に介在されることができる。より詳しく説明すれば、弾性部材１９０は第１単位本体１１０と第２単位本体１２０との間に介在されることができる。弾性部材１９０は第１単位本体１１０と第３単位本体１３０との間に介在されることができる。弾性部材１９０は第３単位本体１３０と第４単位本体１４０との間に介在されることができる。弾性部材１９０は第２単位本体１２０と第４単位本体１４０との間に介在されることができる。
【００５２】
このような弾性部材１９０は第１単位本体１１０、第２単位本体１２０、第３単位本体１３０及び第４単位本体１４０が互いに離隔された状態で互いに該当の位置を安定的に保持することができるように弾性力を発生することができる。このための弾性部材１９０は一例として圧縮スプリングであってもよい。
【００５３】
図４は図２ａの枕で高さ調節ユニットが形成されたIV−IV′に沿う断面図である。
【００５４】
図４を参照すれば、本発明の一実施例による枕１００は高さ調節ユニット１７０を含むことができる。
【００５５】
高さ調節ユニット１７０は前記第１単位本体１１０、第２単位本体１２０、前記第３単位本体１３０及び第４単位本体１４０がそれぞれ地面に対して遠くなるか近くなることができるようにする。
【００５６】
このような高さ調節ユニット１７０は一例として、第６回転軸１７１、第７回転軸１７２、第３操作部材１７３、ピニオンギア１７４、ラックギア１７５及び支持部材１７６を含むことができる。
【００５７】
第６回転軸１７１は前記第１単位本体１１０と第２単位本体１２０とを互いに連結して、長さが可変されることができる。
【００５８】
第７回転軸１７２は前記第３単位本体１３０と第４単位本体１４０とを互いに連結し、長さが可変されることができる。第７回転軸１７２は第６回転軸１７１と類似する構造であってもよい。
【００５９】
第３操作部材１７３は使用者が外部で操作可能に外部に露出されるように位置され、前記第６回転軸１７１及び第７回転軸１７２のそれぞれに結合される。即ち、二つの第３操作部材１７３の中の何れか一つの第３操作部材１７３が第６回転軸１７１に結合され、残り一つの第３操作部材１７３が第７回転軸１７２に結合されることができる。使用者が第３操作部材１７３を回転させれば、第６回転軸１７１が回転されることもでき、第７回転軸１７２が回転されることもできる。
【００６０】
ここで、第３操作部材１７３と前記第６回転軸１７１及び第７回転軸１７２のそれぞれは別途のモーター（図示しない）によって互いに連結されることができる。即ち、使用者が第３操作部材１７３を操作（回転または押す）すれば、モーターが動作しながら前記第６回転軸１７１または第７回転軸１７２が回転されることができる。
【００６１】
ピニオンギア１７４は前記第１単位本体１１０、第２単位本体１２０、第３単位本体１３０及び第４単位本体１４０のそれぞれの内部に配置され、前記第６回転軸１７１、第７回転軸１７２のそれぞれに結合される。即ち、ピニオンギア１７４は４つであってもよく、それぞれのピニオンギア１７４は前記第１単位本体１１０、第２単位本体１２０、第３単位本体１３０及び第４単位本体１４０のそれぞれの内部に配置されるが、この中で２つのピニオンギア１７４は第６回転軸１７１に結合され、残り２つのピニオンギア１７４は第７回転軸１７２に結合されることができる。ピニオンギア１７４は第６回転軸１７１及び第７回転軸１７２の回転とともに回転されることができる。
【００６２】
ラックギア１７５は前記第１単位本体１１０、第２単位本体１２０、第３単位本体１３０及び第４単位本体１４０のそれぞれに上下方向に移動可能に位置されて前記ピニオンギア１７４と噛み合うように配置される。ラックギア１７５はピニオンギア１７４の回転方向によって昇降されることができる。
【００６３】
支持部材１７６は前記ラックギア１７５の下端に形成される。支持部材１７６は地面と接触されることができる。支持部材１７６の素材は一例としてゴムまたはシリコーンであってもよい。それによって、本発明の一実施例による枕１００が底または布団上に位置された状態で外力によって移動されることを防止することができる。
【００６４】
また、支持部材１７６の形状は一例として底面と接触する部分の角がラウンド状に形成されることができる。本発明の一実施例による枕１００は第１単位本体１１０と第２単位本体１２０の高さ及び第３単位本体１３０と第４単位本体１４０の高さがそれぞれ制御されることができる。
【００６５】
従って、図５に示すように、第１単位本体１１０と第２単位本体１２０の地面に対する高さ及び第３単位本体１３０と第４単位本体１４０の地面に対する高さが互いに異なる場合、本発明の一実施例による枕１００は底に対して傾斜するように位置されることができる。よって、使用者が枕１００を用いるにおいてより安楽な感じを受けることができるようにする。
【００６６】
本発明の一実施例による枕１００は第１指圧突起１０１、第２指圧突起１０２及び第３指圧突起１０３を含むことができる。
【００６７】
第１指圧突起１０１は前記第３単位本体１３０及び第４単位本体１４０で使用者の首と接触する部分に形成される。第１指圧突起１０１が形成された位置は一例として第３単位本体１３０及び第４単位本体１４０で辺縁に隣接するように位置されることができる。
【００６８】
第２指圧突起１０２は前記第１単位本体１１０及び第２単位本体１２０で使用者の首と接触する部分に形成される。
【００６９】
第３指圧突起１０３は前記第１指圧突起１０１よりも相対的に小さな高さからなり、前記第３単位本体１３０及び第４単位本体１４０で使用者の首と接触する部分に上下方向に直線往復移動されるように結合される。第３指圧突起１０３は一つまたは複数であってもよい。第３指圧突起１０３が複数個である場合、第３指圧突起１０３は互いに所定間隔ごとに離隔して位置されるか、第３指圧突起１０３の間隔は互いに不規則的に形成されることができる。
【００７０】
このような第３指圧突起１０３が動作されることができるようにする本発明の一実施例による枕１００の詳細な構造を説明する。
【００７１】
図６は枕で第３指圧突起を駆動することができる詳細構成を概略的に示した構成図である。
【００７２】
図６を参照すれば、本発明の一実施例による枕１００は動力発生部１８１、電源部１８２、制御部１８３及び操作ボタン１８４を含むことができる。
【００７３】
動力発生部１８１は前記第３指圧突起１０３が移動するように動力を発生する。動力発生部１８１は一例としてソレノイドであってもよいが、これに限定されなく、扇形モーター、油圧シリンダー、空圧シリンダーなど多様な装置が選択的に用いられることができる。
【００７４】
電源部１８２は前記動力発生部１８１に電気的に連結されて前記動力発生部１８１に電源を供給する。電源部１８２は一例として充電可能な二次電池であってもよい。電源部１８２の他の一例として使い捨て電池であってもよい。これと違って、電源部１８２は一例として壁電源であってもよい。
【００７５】
制御部１８３は前記動力発生部１８１に電気的に連結されて前記動力発生部１８１の動作を制御する。使用者が本発明の枕１００を使用中の状態で、制御部１８３は時間の流れによって第３指圧突起１０３が特定タイミングごとに使用者の体に向けて刺激を加えることができるようにすることができる。このために制御部１８３は動力発生部１８１の時間による動作信号が保存されたプログラムを含むことができる。このために制御部１８３はプログラムが保存されるストレージを含むことができる。ストレージは一例としてロム（ＲＯＭ：Ｒｅａｄ  ｏｎｌｙ  ｍｅｍｏｒｙ）であってもよい。
【００７６】
操作ボタン１８４は前記第１単位本体１１０、第２単位本体１２０、前記第３単位本体１３０及び第４単位本体１４０の中の少なくとも何れか一つの外面に形成されることができる。操作ボタン１８４は前記制御部１８３に電気的に連結されて前記制御部１８３で前記動力発生部１８１を制御することができる動作信号を発生する。使用者は操作ボタン１８４を押して第３指圧突起１０３が動作されるようにすることができる。
【００７７】
本発明の一実施例による枕１００は発熱コイル（図示しない）をさらに含むことができる。
【００７８】
発熱コイルは前記第１単位本体１１０、第２単位本体１２０、第３単位本体１３０及び第４単位本体１４０の中の少なくとも何れか一つの内部に設置されて熱を発生する。発熱コイルは前述した電源部１８２から電源を受けることができる。
【００７９】
このような発熱コイルの動作は一例として枕１００の一側に温度センサー（図示しない）を設置して周辺の温度によって自動にオンオフされることができる。例えば、基準温度を１９゜に設定して周辺の温度が１９゜度未満に落ちると動作されるようにしてもよいが、これに限定されない。
【００８０】
使用者が本発明の一実施例による枕１００を寒い環境で使う場合、発熱コイルで発生された熱によって暖かい状態で用いることができる。
【００８１】
本発明の一実施例による枕１００は振動発生ユニット（図示しない）をさらに含むことができる。
【００８２】
振動発生ユニットは前記第１単位本体１１０、第２単位本体１２０、前記第３単位本体１３０及び第４単位本体１４０の中の少なくとも何れか一つの内部に設置されて振動を発生する。
【００８３】
使用者がこのような振動発生ユニットを動作させるための別途のボタンが枕１００の外面に形成されることができる。これと違って、枕１００の内部にブルートゥース（登録商標）のような無線通信モジュールを設置してスマートフォンで振動発生ユニットの動作を制御することもできる。
【００８４】
使用者は振動発生ユニットを動作させて本発明の一実施例による枕１００で首をマッサージして筋肉を弛緩するのに用いることができる。
【００８５】
前述したように、本発明の一実施例による枕１００は使用者の体の大きさに対応するように全体大きさを変形可能であるので、睡眠の際に、睡眠者の後頭部側、即ち頭と首を最も理想的に支え、一般人が使用する際には健康な睡眠と安楽を与えることができる。追加的に、頚椎椎間板ヘルニア患者が使用する場合には治療に役に立つことができる。
【００８６】
また、枕１００の高さを調節して安楽な姿勢で熟眠を取ることができるようにしたのである。また、枕１００の傾斜度を調節して使用者がより安楽な感じを受けることができるようにする。
【００８７】
以上で本発明の各種実施例について説明したが、今まで参照した図面と記載した発明の詳細な説明はただ本発明の例示的なものであって、これはただ本発明を説明するための目的で用いられ、意味の限定や特許請求範囲に記載された本発明の範囲を制限するために用いられるのではない。そこで本技術分野において通常の知識を有する者であればこれから多様な変形及び均等な他の実施例が可能であるという点を理解すべきである。従って、本発明の真正な技術的保護範囲は特許請求範囲の技術的思想によって定められるべきである。
【図１】
2020505103.tif 000003
【図２ａ】
2020505103.tif 000004
【図２ｂ】
2020505103.tif 000005
【図３ａ】
2020505103.tif 000006
【図３ｂ】
2020505103.tif 000007
【図４】
2020505103.tif 000008
【図５】
2020505103.tif 000009
【図６】
2020505103.tif 000010
【国際調査報告】
2020505103.tif 000011
2020505103.tif 000012
2020505103.tif 000013
2020505103.tif 000014